(57)【要約】【課題】表示装置の上下左右が反転したときにも操作に違和感が生じないようにする。【解決手段】制御部１０８は、モニタ状態検出部１０７を介してモニタ１０６の開閉及び回転状態を検出し、モニタ１０６の画面外に配置されたボタン２０１〜２０３のうち、ボタン２０１が、モニタ１０６の通常状態では早送りボタンとして機能し、上下左右反転状態では巻き戻しボタンとして機能する一方、ボタン２０３が、通常状態では巻き戻しボタンとして機能し、上下左右反転状態では巻早送りボタンとして機能するよう制御する。また、制御部１０８は、ボタン２０１、２０３の近傍に各ボタン２０１、２０３の機能の説明を画面表示するとともに、ボタン２０１、２０３の機能の入れ替えに伴って、ボタン２０１、２０２の機能を説明する文字列も変更する。【選択図】図２
2009147461.tif 000002
【特許請求の範囲】
【請求項１】
撮像装置本体と、前記撮像装置本体に開閉及び回転可能に取り付けられた表示装置と、前記表示装置の画面外に配置された入力操作部とを備えた撮像装置であって、
前記表示装置の開閉及び回転状態を検出する検出手段と、
前記検出手段により検出された前記表示装置の開閉及び回転状態に応じて前記入力操作部の機能を変更する制御手段とを備えたことを特徴とする撮像装置。
【請求項２】
前記表示装置に前記入力操作部の機能の説明を画面表示するとともに、前記入力操作部の機能の変更に伴って、画面表示する機能の説明を変更する制御手段を備えたことを特徴とする請求項１に記載の撮像装置。
【請求項３】
前記入力操作部は、前記表示装置の通常状態で表示画像の早送り機能を有する入力操作部と、前記表示装置の通常状態で表示画像の巻き戻し機能を有する入力操作部とを含み、
前記制御手段は、前記表示装置の開閉及び回転状態に応じて、これら入力操作部の機能を入れ替えることを特徴とする請求項１又は２に記載の撮像装置。
【請求項４】
前記入力操作部は、前記表示装置の通常状態で表示画像の拡大機能を有する入力操作部と、前記表示装置の通常状態で表示画像の縮小機能を有する入力操作部とを含み、
前記制御手段は、前記表示装置の開閉及び回転状態に応じて、これら入力操作部の機能を入れ替えることを特徴とする請求項１又は２に記載の撮像装置。
【請求項５】
撮像装置本体と、前記撮像装置本体に開閉及び回転可能に取り付けられた表示装置と、前記表示装置の画面外に配置された入力操作部とを備えた撮像装置の制御方法であって、
前記表示装置の開閉及び回転状態を検出する手順と、
前記検出された前記表示装置の開閉及び回転状態に応じて前記入力操作部の機能を変更する手順とを有することを特徴とする撮像装置の制御方法。
【請求項６】
撮像装置本体と、前記撮像装置本体に開閉及び回転可能に取り付けられた表示装置と、前記表示装置の画面外に配置された入力操作部とを備えた撮像装置を制御するためのプログラムであって、
前記表示装置の開閉及び回転状態を検出する検出処理と、
前記検出処理により検出された前記表示装置の開閉及び回転状態に応じて前記入力操作部の機能を変更する制御処理とをコンピュータに実行させるためのプログラム。
【発明の詳細な説明】
【技術分野】
【０００１】
本発明は、撮像装置本体と、撮像装置本体に開閉及び回転可能に取り付けられた表示装置と、表示装置の画面外に配置された入力操作部とを備えた撮像装置、その制御方法及びプログラムに関する。
【背景技術】
【０００２】
図４に示すように、撮像装置本体４０１と、撮像装置本体４０１の側面に開閉及び回転可能に取り付けられた液晶パネル等の外部モニタ４０２とを具備するデジタルビデオカメラ等の撮像装置が知られている。この種の撮像装置には、外部モニタ４０２にタッチパネル入力ボタン４０３を表示することにより、種々の操作を行えるようにしたものがある。外部モニタ４０２に表示するタッチパネル入力ボタン４０３の表示や機能を適宜変更することで、多種多様な操作が可能となる。
【０００３】
しかしながら、外部モニタ４０２に表示されるタッチパネル入力ボタン４０３の表示や機能が変動することによる操作性の複雑さから、誤操作を招くおそれがある。そこで、タッチパネル入力ボタン４０３とは別に、特定の機能が操作可能な外部入力ボタン４０４を併用することが実施されている。例えば図５（ａ）に示すように、外部モニタ４０２の画面の周囲の枠部に、外部入力ボタン４０４として早送りボタン５０１、再生ボタン５０２、巻き戻しボタン５０２を配置することにより、使用者の操作性を向上させることが可能となる。
【０００４】
【特許文献１】特開２００５−４６９０号公報
【発明の開示】
【発明が解決しようとする課題】
【０００５】
ここで、図４、図５（ａ）は外部モニタ４０２を開いた通常状態（外部モニタ４０２を撮像装置本体４０１の側面に対して立たせた状態）を示し、図５（ｂ）は外部モニタ４０２を通常状態から回転させた上下左右反転状態を示す。このように外部モニタ４０２の上下左右が反転したときでも、使用者から見て画面表示する映像の上下左右を保つように画像処理することが行われている。
【０００６】
しかしながら、図５（ｂ）に示すように、早送りボタン５０１及び巻き戻し機能ボタン５０３の位置は使用者から見て上下左右入れ替わってしまう。このように通常状態での入力ボタン機能と上下左右反転状態での入力ボタン機能との配置が入れ替わることになり、操作に違和感が生じ、場合によっては誤操作を招くおそれがある。特にタッチパネル入力ボタン４０３を併用して多種多様な機能を持つ入力ボタン構成とすると、操作が複雑になってしまうという問題がある。
【０００７】
本発明は、上記のような点に鑑みてなされたものであり、表示装置の上下左右が反転したときにも操作に違和感が生じないようにすることを目的とする。
【課題を解決するための手段】
【０００８】
本発明の撮像装置は、撮像装置本体と、前記撮像装置本体に開閉及び回転可能に取り付けられた表示装置と、前記表示装置の画面外に配置された入力操作部とを備えた撮像装置であって、前記表示装置の開閉及び回転状態を検出する検出手段と、前記検出手段により検出された前記表示装置の開閉及び回転状態に応じて前記入力操作部の機能を変更する制御手段とを備えたことを特徴とする。
本発明の撮像装置の制御方法は、撮像装置本体と、前記撮像装置本体に開閉及び回転可能に取り付けられた表示装置と、前記表示装置の画面外に配置された入力操作部とを備えた撮像装置の制御方法であって、前記表示装置の開閉及び回転状態を検出する手順と、前記検出された前記表示装置の開閉及び回転状態に応じて前記入力操作部の機能を変更する手順とを有することを特徴とする。
本発明のプログラムは、撮像装置本体と、前記撮像装置本体に開閉及び回転可能に取り付けられた表示装置と、前記表示装置の画面外に配置された入力操作部とを備えた撮像装置を制御するためのプログラムであって、前記表示装置の開閉及び回転状態を検出する検出処理と、前記検出処理により検出された前記表示装置の開閉及び回転状態に応じて前記入力操作部の機能を変更する制御処理とをコンピュータに実行させることを特徴とする。
【発明の効果】
【０００９】
本発明によれば、表示装置の上下左右が反転したときにも操作に違和感が生じないようにすることができ、誤操作を防ぐことができる。
【発明を実施するための最良の形態】
【００１０】
以下、添付図面を参照して、本発明の好適な実施形態について説明する。
（第１の実施形態）
図１に本発明の実施形態に係る撮像装置の構成を示す。なお、撮像装置の外観は図４で示したものと同様であり、ここでは図示を省略する。
【００１１】
１０１は被写体像を入力するレンズである。１０２は撮像素子であり、レンズ１０１からの入力を画像信号に光電変換する。１０３は画像処理部であり、撮像素子１０２からの出力画像信号をマトリクス処理することによって輝度信号及び色差信号を生成する。１０４は画像処理部１０３によって処理された信号を記憶する画像記録部であり、磁気ディスク、磁気テープ、光磁気ディスク或は半導体メモリ等、様々な組み合わせが可能なものとする。
【００１２】
１０５はモニタ制御部であり、制御部１０８からの指令により、例えば画像処理部１０３からの画像信号をモニタ１０６に出力して画面表示する。１０６はモニタ制御部１０５からの画像信号を画面表示するモニタであり、図４に示した外部モニタ４０２に相当するものである。
【００１３】
１０７はモニタ状態検出部であり、モニタ１０６の開閉及び回転状態を検出し、制御部１０８に通知する。このモニタ状態検出部１０７が本発明でいう検出手段として機能し、検出処理を実行する。１０８は撮像装置全体を制御する制御部である。この制御部１０８及び上述したモニタ制御部１０５が本発明でいう制御手段として機能し、制御処理を実行する。１０９は操作者が画像再生等を指示するための入力操作部である。
【００１４】
次に、第１の実施形態に係る撮像装置の動作について説明する。制御部１０８は、モニタ状態検出部１０７を介してモニタ１０６の上下左右が反転したかどうかを検出する。モニタ１０６の上下左右反転状態を検出すると、制御部１０８は、使用者から見て画面表示する映像の上下左右を保つように（図５（ｂ）を参照）、モニタ制御部１０５に対してモニタ１０６に画像信号を左右上下反転して表示するよう指令を出す。
【００１５】
図２には、モニタ状態検出部１０７によってモニタ１０６の上下左右反転状態を検出した際の入力ボタン機能入れ替えと入れ替え表示について示す。図２（ａ）はモニタ１０６を開いた通常状態を示し、図２（ｂ）はモニタ１０６を通常状態から回転させた上下左右反転状態を示す。
【００１６】
図２（ａ）に示すように、モニタ１０６の画面外、すなわち画面の周囲の枠部には、モニタ１０６の横方向（水平方向）に並べられたボタン２０１、再生ボタン２０２、ボタン２０３が設けられている。これらボタン２０１〜２０３は、図１に示した入力操作部１０９を構成するものである。
【００１７】
本実施形態では、ボタン２０１は、図２（ａ）に示す通常状態では早送りボタンとして機能し（早送り機構）、図２（ｂ）に示す上下左右反転状態では巻き戻しボタンとして機能する（巻き戻し機能）。一方、ボタン２０３は、図２（ａ）に示す通常状態では巻き戻しボタンとして機能し、図２（ｂ）に示す上下左右反転状態では巻早送りボタンとして機能する。
【００１８】
すなわち、制御部１０８は、モニタ状態検出部１０７を介してモニタ１０６の開閉及び回転状態を検出する。そして、図２（ａ）に示す通常状態でボタン２０１が操作されたときには再生画像（表示画像）を早送りし、ボタン２０３が操作されたときには再生画像を巻き戻すよう画像処理部１０３、モニタ制御部１０５に指令を出す。それに対して、図２（ｂ）に示す上下左右反転状態でボタン２０１が操作されたときには再生画像を巻き戻し、ボタン２０３が操作されたときには再生画像を早送りするよう画像処理部１０３、モニタ制御部１０５に指令を出す。
【００１９】
また、モニタ１０６には、ボタン２０１、２０３の近傍に、各ボタン２０１、２０３の機能の説明が画面表示される。すなわち、制御部１０８は、図２（ａ）に示す通常常態で、ボタン２０１の近傍に「早送り」用のボタンであることを、ボタン２０３の近傍に「巻き戻し」用のボタンであることを説明する文字列を画面表示するようモニタ制御部１０５に指令を出す。それに対して、図２（ｂ）に示す上下左右反転状態では、ボタン２０１の近傍に「巻き戻し」用のボタンであることを、ボタン２０３の近傍に「早送り」用のボタンであることを説明する文字列を画面表示するようモニタ制御部１０５に指令を出す。
【００２０】
この場合にも、制御部１０８は、使用者から見て画面表示する文字列の上下左右を保つように制御する。
【００２１】
以上のように、モニタ１０６の開閉及び回転状態に応じてボタン２０１、２０３の機能を変更する、具体的にはボタン２０１、２０３間で「早送り」及び「巻き戻し」の機能を入れ替えるようにしたので、操作に違和感が生じないようにすることができる。
【００２２】
（第２の実施形態）
次に、図３を参照して、本発明の第２の実施形態を説明する。なお、撮像装置の構成及び外観は図１、４に示したものと同様であり、既に説明した構成要素には同一の符号を付すとともに、その詳細な説明を省略する。
【００２３】
図３には、モニタ状態検出部１０７によってモニタ１０６の上下左右反転状態を検出した際の入力ボタン機能入れ替えと入れ替え表示について示す。図３（ａ）はモニタ１０６を開いた通常状態を示し、図３（ｂ）はモニタ１０６を通常状態から回転させた上下左右反転状態を示す。
【００２４】
図３（ａ）に示すように、モニタ１０６の画面外、すなわち画面の周囲の枠部には、モニタ１０６の縦方向（垂直方向）に並べられたボタン３０１、ボタン３０２が設けられている。これらボタン３０１、３０２は、図１に示した入力操作部１０９を構成するものである。
【００２５】
本実施形態では、ボタン３０１は、図３（ａ）に示す通常状態では拡大ボタンとして機能し（拡大機能）、図３（ｂ）に示す上下左右反転状態では縮小ボタンとして機能する（縮小機能）。一方、ボタン３０２は、図３（ａ）に示す通常状態では縮小ボタンとして機能し、図３（ｂ）に示す上下左右反転状態では拡大ボタンとして機能する。
【００２６】
すなわち、制御部１０８は、モニタ状態検出部１０７を介してモニタ１０６の開閉及び回転状態を検出する。そして、図３（ａ）に示す通常状態でボタン３０１が操作されたときには再生画像を拡大し、ボタン３０２が操作されたときには再生画像を縮小するよう画像処理部１０３、モニタ制御部１０５に指令を出す。それに対して、図３（ｂ）に示す上下左右反転状態でボタン３０１が操作されたときには再生画像を縮小し、ボタン３０２が操作されたときには再生画像を拡大するよう画像処理部１０３、モニタ制御部１０５に指令を出す。
【００２７】
また、モニタ１０６には、ボタン３０１、３０２の近傍に、各ボタン３０１、３０２の機能の説明が画面表示される。すなわち、制御部１０８は、図３（ａ）に示す通常常態で、ボタン３０１の近傍に「拡大」用のボタンであることを、ボタン３０２の近傍に「縮小」用のボタンであることを説明する文字列を画面表示するようモニタ制御部１０５に指令を出す。それに対して、図３（ｂ）に示す上下左右反転状態では、ボタン３０１の近傍に「縮小」用のボタンであることを、ボタン３０２の近傍に「拡大」用のボタンであることを説明する文字列を画面表示するようモニタ制御部１０５に指令を出す。
【００２８】
この場合にも、制御部１０８は、使用者から見て画面表示する文字列の上下左右を保つように制御する。
【００２９】
以上のように、モニタ１０６の開閉及び回転状態に応じてボタン３０１、３０２の機能を変更する、具体的にはボタン３０１、３０２間で「拡大」及び「縮小」の機能を入れ替えるようにしたので、操作に違和感が生じないようにすることができる。
【００３０】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００３１】
この場合、記憶媒体から読み出されたプログラムコード自体が上述した実施形態の機能を実現することになり、プログラムコード自体及びそのプログラムコードを記憶した記憶媒体は本発明を構成することになる。
【００３２】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３３】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００３４】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【図面の簡単な説明】
【００３５】
【図１】本発明の実施形態に係る撮像装置の構成を示す図である。
【図２】第１の実施形態に係る撮像装置における外部モニタの通常状態及び上下左右反転状態を示す図である。
【図３】第２の実施形態に係る撮像装置における外部モニタの通常状態及び上下左右反転状態を示す図である。
【図４】撮像装置の外観例を示す図である。
【図５】従来の撮像装置における外部モニタの通常状態及び上下左右反転状態を示す図である。
【符号の説明】
【００３６】
１０１    レンズ
１０２    撮像素子
１０３    画像処理部
１０４    画像記録部
１０５    モニタ制御部
１０６    モニタ
１０７    モニタ状態検出部
１０８    制御部
１０９    入力操作部
２０１〜２０３    ボタン
３０１、３０２    ボタン
【図１】
2009147461.tif 000003
【図２】
2009147461.tif 000004
【図３】
2009147461.tif 000005
【図４】
2009147461.tif 000006
【図５】
2009147461.tif 000007